(57)【特許請求の範囲】
【請求項１】
金属板のプレス加工により成形され、底面１を有する小筒部２の開口縁外周にフランジ部３が一体に形成されると共に、そのフランジ部３の一部に欠切部４を有し且つ、そのフランジ部３に回り止め部５が一体に設けられ、小筒部２の一部にドレン孔６が形成され、底面１に異形孔７が貫通されたコックシート８と、
そのコックシート８の内面に外周が略整合し、その内面に挿脱自在に挿入される嵌入部９を有し、その嵌入部９の外周にシール部10が設けられ、その嵌入部９の後端に、前記フランジ部３の欠切部４に整合する爪部11および回転用ツマミ部12が突設され、その嵌入部９の先端に、前記底面１の異形孔７に整合する係止部13が小径の軸部14を介して半径方向に突設されたコック15と、を具備し、
前記異形孔７に前記係止部13を貫通後、両者の整合状態から非整合状態にコック15を回転した状態で、前記軸部14を前記小筒部２の前記開口側に移動したとき、前記シール部10が前記ドレン孔６より軸線方向外側に位置するように、そのドレン孔６の位置が定められ、
前記コックシート８がタンク16の底部またはその近傍の孔に接合されたタンクのドレンコック構造。
【請求項２】
請求項１において、
前記コックシート８の前記フランジ部３に、周方向に１８０°離間して一対の前記欠切部４が設けられ、
前記コック15の後端に蓋状部17が設けられると共に、その蓋状部17に前記一対の欠切部４に夫々整合する一対の爪部11が突設されたタンクのドレンコック構造。
【発明の詳細な説明】
【０００１】
【発明の属する技術分野】
本発明は主として、アルミニューム製自動車用ラジエータの下部タンクまたはタンク下部に設けられるドレンコック構造に関する。
【０００２】
【従来の技術】
アルミニューム製自動車用ラジエータの下部タンクには、ドレン排出用のコックシートが突設され、それにドレンコックが着脱自在に装着されている。タンクに取付けられる従来のコックシートは、図４に示す構造のものであった。すなわち、アルミ材を筒状に切削して、その内部を段付に形成すると共に、その大径部に内ネジ18を設ける。それと共にコックシート８の外周にドレン孔６を穿設する。このようにしてなるコックシート８をタンク16に溶接等により接合していた。また、コック15は先端にＯリングからなるシール部10が設けられ、その外周に外ネジ19が形成されると共に、後端にツマミ部12が設けられたものである。そして、コック15の外ネジ19をコックシート８の内ネジ18に螺着締結することにより、ドレン孔６を閉塞する。また、コック15を緩めることによりタンク16内のドレンをドレン孔６から外部に流出させるものである。
【０００３】
【発明が解決しようとする課題】
従来のコックシート８は、アルミニューム材等の金属材を切削加工により製作していたため、その工数が多くなり製造コストが高くなっていた。それと共に、タンク内のドレンを外部に流出するときには、コック15を多数回、回転して緩める必要が有り面倒であった。
そこで、本発明はこれらの欠点を取除くことを課題とする。
【０００４】
【課題を解決するための手段】
請求項１に記載の本発明は、金属板のプレス加工により成形され、底面１を有する小筒部２の開口縁外周にフランジ部３が一体に形成されると共に、そのフランジ部３の一部に欠切部４を有し且つ、そのフランジ部３に回り止め部５が一体に設けられ、小筒部２の一部にドレン孔６が形成され、底面１に異形孔７が貫通されたコックシート８と、
そのコックシート８の内面に外周が略整合し、その内面に挿脱自在に挿入される嵌入部９を有し、その嵌入部９の外周にシール部10が設けられ、その嵌入部９の後端に、前記フランジ部３の欠切部４に整合する爪部11および回転用ツマミ部12が突設され、その嵌入部９の先端に、前記底面１の異形孔７に整合する係止部13が小径の軸部14を介して半径方向に突設されたコック15と、を具備し、
前記異形孔７に前記係止部13を貫通後、両者の整合状態から非整合状態にコック15を回転した状態で、前記軸部14を前記小筒部２の前記開口側に移動したとき、前記シール部10が前記ドレン孔６より軸線方向外側に位置するように、そのドレン孔６の位置が定められ、
前記コックシート８がタンク16の底部またはその近傍の孔に接合されたタンクのドレンコック構造である。
【０００５】
請求項２に記載の本発明は、請求項１において、
前記コックシート８の前記フランジ部３に、周方向に１８０°離間して一対の前記欠切部４が設けられ、
前記コック15の後端に蓋状部17が設けられると共に、その蓋状部17に前記一対の欠切部４に夫々整合する一対の爪部11が突設されたタンクのドレンコック構造である。
【０００６】
【発明の実施の形態】
次に、図面に基づいて本発明の実施の形態につき説明する。
図１は本発明のドレンコック構造の分解斜視図であり、図２はその取付け状態を示す縦断面図であって、そのドレン孔６の閉塞状態を示す。また、図３は同取付け状態であって、ドレン孔６の開放状態を示す。
このドレンコック構造は、タンク16に取付けられるコックシート８とコックシート８の内部に着脱自在に挿入されるコック15とを有する。コックシート８は、底面１を有する小筒部２の開口縁外周にフランジ部３が一体に形成されている。そしてそのフランジ部３の一部に、互いに１８０°離間して一対の欠切部４が形成され、更にそのフランジ部３の下面側には、回り止め部５が突設形成されている。
【０００７】
また、小筒部２にはその中間部にドレン孔６が穿設され、底面１には矩形の異形孔７が貫通されている。このようなコックシート８は、金属板のプレス加工により成形される。そして、回り止め部５はフランジ部３にプレス金型で塑性変形を行うことにより一体に形成される。
このようにしてなるコックシート８は、図１において９０°矢印方向に回転しドレン孔６が下方に位置するようにしてタンク16の取付孔20に挿入され、両者間が一体的にろう付け固定される。なお、コックシート８の外面側には予めろう材が被覆されたものを用い、ラジエータ全体を組立てた状態で、それらを高温の炉内に挿入して、各部品間を同時に一体的にろう付け固定するものである。
【０００８】
次にコック15は、コックシート８の内周にほぼ整合する外周を有する嵌入部９と、その先端に軸部14を介して突設された係止部13と、後端に突設された蓋状部17およびツマミ部12と、蓋状部17に突設された一対の爪部11とを有する。係止部13はコックシート８の異形孔７に整合する。また、軸部14は異形孔７内でそれが回転できる程度の小径に形成されている。そして嵌入部９の先端には、シール部10が設けられている。このシール部10は、嵌入部９の外周に設けられた環状溝にＯリングが嵌着されたものからなる。
【０００９】
また、一対の爪部11は、コックシート８の欠切部４に整合する平面を有し、断面Ｌ字状に突設形成されている。そして、爪部11と蓋状部17との対向間隔は、コックシート８のフランジ部３の板厚よりも僅かに長く形成されている。このようにしてなるコック15は図２に示す如く、コックシート８にその嵌入部９が挿入される。このとき、先ず係止部13が異形孔７に挿入され、それがタンク16内に進入する。ついでコック15の爪部11がフランジ部３の欠切部４に整合され、それがフランジ部３の裏側に進入される。ついで、コック15のツマミ部12を回転して、その爪部11を回り止め部５に当接し、ドレン孔６を閉塞する。このとき、シール部10はドレン孔６よりも底面１側に位置している。
【００１０】
次いで、ツマミ部12を回転し、それを手前に引くことにより、図３の如くドレン孔６が開放される。このとき係止部13は、底面１に当接し、コック15が不用意に抜けるのを防止する。なお、係止部13は異形孔７に対して非整合状態であるため、係止部13の両側からタンク16内のドレンがコックシート８内に流入し、ドレン孔６からそれが外部に流出する。
【００１１】
【発明の作用・効果】
本発明のタンクのドレンコック構造は、タンク16に取付けられるコックシート８が、底面１と小筒部２とフランジ部３とを有し、そのフランジ部３に欠切部４および回り止め部５が一体に形成されると共に、小筒部２にドレン孔６が底面１に異形孔７が貫通されたものである。そして、これらが金属板のプレス加工により形成されるため、容易に低コストで提供することができる。そして、コックシート８にコック15を挿入し、僅かに回転するのみでコックの係止状態を保ち、ドレン孔６を閉塞できる。また、コック15を回転して引戻すのみで、そのシール部10がドレン孔６より軸線方向外側に位置し、そのドレン孔６からドレンを外部に排出することができる。
しかも、このとき係止部13と異形孔７とを非整合状態にすることにより、コック15が不用意にコックシート８から抜け出ることがない。
【００１２】
請求項２に記載の発明によれば、コックシート８のフランジ部３に、周方向に１８０°離間して一対の欠切部４が設けられ、その欠切部４に整合してコック15に一対の爪部11が突設されているので、バランスがよく取扱い易いドレンコック構造を提供できる。
【図面の簡単な説明】
【図１】本発明のタンクのドレンコック構造の分解斜視図。
【図２】同構造のドレン孔６の閉塞状態を示す縦断面図。
【図３】同構造のドレン孔６の開放状態を示す縦断面図。
【図４】従来型ドレンコック構造の要部縦断面図。
【符号の説明】
１  底面
２  小筒部
３  フランジ部
４  欠切部
５  回り止め部
６  ドレン孔
７  異形孔
８  コックシート
９  嵌入部
10  シール部
11  爪部
12  ツマミ部
13  係止部
14  軸部
15  コック
16  タンク
17  蓋状部
18  内ネジ
19  外ネジ
20  取付孔
【図１】
0004332872.tif 000002
【図２】
0004332872.tif 000003
【図３】
0004332872.tif 000004
【図４】
0004332872.tif 000005